(57)【要約】【課題】視認性が低下してしまう可能性を低減することができる遮光装置、入力装置、表示装置、および電子機器を提供する。【解決手段】遮光装置は、透光性を有しており、第２主面２Ｂおよび第２主面２Ｂに隣接する端面２Ｃを有した基体２と、基体２の第２主面２Ｂ上に設けられた第１遮光層６と、基体２の第２主面２Ｂ上に設けられており、一部１０ａが第１遮光層６よりも端面２Ｃ側に位置しており、残部１０ｂが第１遮光層６上に位置する第２遮光層１０と、を備え、第１遮光層６のうち、平面視して第２遮光層１０の残部１０ｂと重なる部位を重畳部６ａとするとき、重畳部６ａには、複数の開口部１１が設けられている。【選択図】図２
2014021768.tif 000002
【特許請求の範囲】
【請求項１】
透光性を有しており、主面および該主面に隣接する端面を有した基体と、
前記基体の前記主面上に設けられた第１遮光層と、
前記基体の前記主面上に設けられており、一部が前記第１遮光層よりも前記端面側に位置しており、残部が前記第１遮光層上に位置する第２遮光層と、を備え、
前記第１遮光層のうち、平面視して前記第２遮光層の前記残部と重なる部位を重畳部とするとき、
前記重畳部には、複数の開口部が設けられている、遮光装置。
【請求項２】
複数の前記開口部は、第１開口部、および該第１開口部よりも前記端面側に位置する第２開口部を含んでおり、
平面視したとき、前記第２開口部は、前記第１開口部の開口面積よりも大きい開口面積を有する、請求項１に記載の遮光装置。
【請求項３】
前記重畳部は、第１部位、および該第１部位よりも前記端面側に位置する第２部位を有しており、
平面視したとき、前記第２部位に設けられた複数の前記開口部の総開口面積は、前記第１部位に設けられた複数の前記開口部の総開口面積よりも大きい、請求項１に記載の遮光装置。
【請求項４】
前記第２遮光層の前記残部は、前記開口部に入り込んでいる、請求項１〜３のいずれか一項に記載の遮光装置。
【請求項５】
前記基体の前記主面側に位置する前記開口部の開口径は、前記第２遮光層の前記残部側に位置する前記開口部の開口径よりも大きい、請求項４に記載の遮光装置。
【請求項６】
前記重畳部は、前記端面側に位置する端部を有しており、
前記端部は、前記端面に近づくにつれて厚みが小さくなっている、請求項１〜５のいずれか一項に記載の遮光装置。
【請求項７】
請求項１〜６のいずれか一項に記載の遮光装置と、
前記遮光装置を構成する前記基体の前記主面上のうち、前記第１遮光層および前記第２遮光層が設けられた領域以外の領域に設けられた検出電極と、を備えた入力装置。
【請求項８】
前記検出電極に電気的に接続されており、前記重畳部上に設けられた検出用配線をさらに備えた、請求項７に記載の入力装置。
【請求項９】
前記検出用配線を被覆した保護層をさらに備え、
前記第２遮光層の前記残部は、前記保護層上に位置している、請求項８に記載の入力装置。
【請求項１０】
前記第２遮光層は、導電性を有する、請求項７〜９のいずれか一項に記載の入力装置。
【請求項１１】
請求項７〜１０のいずれか一項に記載の入力装置と、
前記入力装置に対向して配置された表示パネルと、
前記表示パネルを収容した筺体と、を備えた表示装置。
【請求項１２】
請求項１１に記載の表示装置を備えた電子機器。
【発明の詳細な説明】
【技術分野】
【０００１】
本発明は、遮光装置、入力装置、表示装置、および電子機器に関する。
【背景技術】
【０００２】
従来から、入力装置としては、指と検出電極との間における静電容量の変化を捉えて入力位置を検出する静電容量方式のタッチパネルが知られている（例えば、特許文献１参照）。このような入力装置は、基体の主面上に第１遮光層および第２遮光層が設けられている。第１遮光層と第２遮光層とは、互いに接して並んで設けられている。
【先行技術文献】
【特許文献】
【０００３】
【特許文献１】特開２０１１−９０４４３号公報
【発明の概要】
【発明が解決しようとする課題】
【０００４】
ところで、第１遮光層および第２遮光層は、例えば、同じ黒色をなしていたとしても、互いに色味が異なる場合がある。第１遮光層の色味と第２遮光層の色味とが互いに異なると、平面視した場合に、第１遮光層から第２遮光層へ変化する部分、および、第２遮光層から第１遮光層へ変化する部分において、色味が大きく変化し、視認性が低下してしまう可能性があった。
【０００５】
本発明は、このような事情を鑑みてなされたものであり、その目的は、視認性が低下してしまう可能性を低減することができる遮光装置、入力装置、表示装置、および電子機器に関する。
【課題を解決するための手段】
【０００６】
本発明の遮光装置における一態様は、主面および該主面に隣接する端面を有した基体と、前記基体の前記主面上に設けられた第１遮光層と、前記基体の前記主面上に設けられており、一部が前記第１遮光層よりも前記端面側に位置しており、残部が前記第１遮光層上に位置する第２遮光層と、を備え、前記第１遮光層のうち、平面視して前記第２遮光層の前記残部と重なる部位を重畳部とするとき、前記重畳部には、複数の開口部が設けられている。
【０００７】
本発明の入力装置における一態様は、本発明に係る遮光装置と、前記遮光装置を構成する前記基体の前記主面上のうち、前記第１遮光層および前記第２遮光層が設けられた領域以外の領域に設けられた検出電極と、を備える。
【０００８】
本発明の表示装置における一態様は、本発明に係る入力装置と、前記入力装置に対向して配置された表示パネルと、前記表示パネルを収容した筺体と、を備える。
【０００９】
本発明の電子機器における一態様は、本発明に係る表示装置を備える。
【発明の効果】
【００１０】
本発明の遮光装置、入力装置、表示装置、および電子機器は、視認性が低下してしまう可能性を低減することができる、という効果を奏する。
【図面の簡単な説明】
【００１１】
【図１】本実施形態に係る入力装置の概略構成を示す平面図である。
【図２】本実施形態に係る入力装置の概略構成を示す平面図であって、第１遮光層、第２遮光層、および開口部のみを示した図である。
【図３】図２中に示したＩ−Ｉ線断面図である。
【図４】図２中に示したＩＩ−ＩＩ線断面図である。
【図５】図２中に示したＩＩＩ−ＩＩＩ線断面図である。
【図６】本実施形態に係る表示装置の概略構成を示す断面図である。
【図７】本実施形態に係る携帯端末の概略構成を示す斜視図である。
【図８】変形例１に係る入力装置の概略構成を示す平面図であって、第１遮光層、第２遮光層、および開口部のみを示した図である。
【図９】図８中に示したＩＶ−ＩＶ線断面図である。
【図１０】変形例２に係る入力装置の概略構成を示す平面図であって、第１遮光層、第２遮光層、および開口部のみを示した図である。
【図１１】図１０中に示したＶ−Ｖ線断面図である。
【図１２】変形例３に係る入力装置の概略構成を示す平面図であって、第１遮光層、第２遮光層、および開口部のみを示した図である。
【図１３】図１２中に示したＶＩ−ＶＩ線断面図である。
【図１４】変形例４に係る入力装置の概略構成を示す平面図であって、第１遮光層、第２遮光層、および開口部のみを示した図である。
【図１５】図１４中に示したＶＩＩ−ＶＩＩ線断面図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る遮光装置、入力装置、表示装置、および電子機器は、本明細書が参照する各図に示されていない任意の構成部材を備え得る。
【００１４】
図１および図２に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１５】
なお、入力装置Ｘ１は、投影型の静電容量方式のタッチパネルに限らず、例えば、表面型の静電容量方式のタッチパネル、抵抗膜方式のタッチパネル、表面弾性波方式のタッチパネル、光学方式のタッチパネル、あるいは電磁誘導方式のタッチパネルであってもよい。
【００１６】
図１〜５に示すように、入力装置Ｘ１は、基体２、第１検出電極パターン３、第２検出電極パターン４、絶縁体５、第１遮光層６、被覆層７、検出用配線８、保護層９、第２遮光層１０、開口部１１、および保護シート１２を備えている。なお、基体２、第１遮光層６、第２遮光層１０、および開口部１１が、本発明に係る遮光装置の一実施形態となる。
【００１７】
なお、図１では、説明の便宜上、開口部１１の図示は省略する。また、図２では、説明の便宜上、第１遮光層６、第２遮光層１０、および第１遮光層６に設けられた開口部１１のみ図示する。
【００１８】
基体２は、第１検出電極パターン３、第２検出電極パターン４、および絶縁体５を支持する役割を有する。基体２は、第１主面２Ａおよび第２主面２Ｂを有する。第１主面２Ａは、第２主面２Ｂよりも使用者側に位置している。第２主面２Ｂは、第１主面２Ａの反対側に位置している。基体２は、絶縁性を有するとともに、基体２の第１主面２Ａおよび第２主面２Ｂに交差する方向に入射する光に対して透光性を有する。基体２の構成材料としては、例えば、ガラスあるいはプラスチックが挙げられる。
【００１９】
第１検出電極パターン３は、入力領域Ｅ１に対応する基体２の第１主面２Ａに接近した使用者の指Ｆ１との間において静電容量を発生し、Ｙ方向における入力位置を検出する役割を有する。第１検出電極パターン３は、入力領域Ｅ１に対応する基体２の第２主面２Ｂ上に、Ｙ方向に並んで複数設けられている。また、第１検出電極パターン３は、第１検出電極３ａおよび第１電極間配線３ｂを有する。
【００２０】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、互いに隣り合う第１検出電極３ａの間に設けられている。
【００２１】
第２検出電極パターン４は、入力領域Ｅ１に対応する基体２の第１主面２Ａに接近した使用者の指Ｆ１との間において静電容量を発生し、Ｘ方向における入力位置を検出する役割を有する。第２検出電極パターン４は、入力領域Ｅ１に対応する基体２の第２主面２Ｂ上に、Ｘ方向に並んで複数設けられている。また、第２検出電極パターン４は、第２検出電極４ａおよび第２電極間配線４ｂを有する。
【００２２】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、互いに隣り合う第２検出電極４ａの間において、第１電極間配線３ｂと電気的に絶縁するように、絶縁体５を跨いで当該絶縁体５上に設けられている。ここで、絶縁体５は、第１電極間配線３ｂを覆うように基体２の第２主面２Ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。なお、図２では、絶縁体５の図示は省略している。
【００２３】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。
【００２４】
第１検出電極パターン３および第２検出電極パターン４の形成方法としては、例えば、上述の材料をスパッタリング法、蒸着法、あるいはＣＶＤ（Chemical Vapor Deposition
）法によって基体２の第２主面２Ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２５】
第１遮光層６は、入力装置Ｘ１が表示装置Ｙ１に組み込まれた場合に（図６参照）、バックライト３００から入力装置Ｘ１に入射する光を遮光する役割を有する。なお、本実施形態における「遮光」とは、反射あるいは吸収によって可視光の一部または全部を遮蔽することを意味する。第１遮光層６は、非入力領域Ｅ２に対応する基体２の第２主面２Ｂ上に枠状に設けられている。
【００２６】
第１遮光層６の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、第１遮光層６は、黒色に限らず、黒色以外の色を着色していてもよい。第１遮光層６の形成方法としては、例えば、スクリーン印刷法、スパッタリング法、ＣＶＤ法、あるいは蒸着法が挙げられる。
【００２７】
なお、第１遮光層６は、基体２の端面２Ｃから所定距離以上離れて位置している。このため、入力装置Ｘ１の製造工程において、歩留まりが低下してしまう可能性を低減することができる。具体的には、後述する第２遮光層１０および保護シート１２を基体２上に設ける前の構造体において、基体２の端面２Ｃを研磨する場合、まず、紫外線硬化樹脂を介して構造体を積層し、当該紫外線硬化樹脂を硬化させることにより、複数の構造体の積層体を生成する。次に、積層体の端面をフッ酸によってエッチングすることで、一度の処理で複数の構造体における基体２の端面２Ｃを加工する。ここで、当該構造体は、第１遮光層６が、基体２の端面２Ｃから所定距離以上離れて位置しているため、端面２Ｃと第１遮光層６との間の領域に位置する紫外線硬化樹脂を十分に硬化させることができる。このため、積層体の端面をエッチングする際に、構造体と紫外線硬化樹脂との間にフッ酸が侵入し、第１検出電極パターン３、第２検出電極パターン４、第１遮光層６、あるいは検出用配線８が腐食してしまう可能性を低減することができる。
【００２８】
被覆層７は、第１遮光層６を保護する役割を有する。ここで、第１遮光層６を保護する役割としては、例えば、第１遮光層６を水分の吸湿による腐食から保護する役割、あるいは、第１遮光層６の材質が変質してしまう可能性を低減する役割が挙げられる。被覆層７は、基体２の第２主面２Ｂ上に設けられており、第１遮光層６を被覆している。被覆層７の構成材料としては、例えば、アクリル系樹脂、シリコーン系樹脂、ゴム系樹脂、ウレタン系樹脂、あるいは、ケイ素を含む無機化合物が挙げられる。被覆層７の形成方法としては、例えば、転写印刷法、スピンコート法、あるいはスリットコート法が挙げられる。
【００２９】
検出用配線８は、第１検出電極パターン３および第２検出電極パターン４と指Ｆ１との間において発生した静電容量の変化を検出する役割を有する。検出用配線８は、被覆層７上に位置している。検出用配線８の一端は、第１検出電極パターン３および第２検出電極パターン４に電気的に接続されている。検出用配線８の他端は、外部導通領域Ｇ１に位置している。
【００３０】
検出用配線８は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜の形成方法としては、例えば、スパッタリング法、ＣＶＤ法、あるいは蒸着法が挙げられる。
【００３１】
保護層９は、第１検出電極パターン３、第２検出電極パターン４、および検出用配線８を水分の吸湿による腐食から保護する役割を有する。保護層９は、入力領域Ｅ１および非入力領域Ｅ２に対応する基体２の第２主面２ｂ上に設けられている。また、保護層９は、第１検出電極パターン３、第２検出電極パターン４、検出用配線８を被覆している。保護層９の構成材料としては、例えば、透光性を有する無機材料が挙げられる。透光性を有する無機材料としては、例えば、二酸化ケイ素あるいは窒化ケイ素が挙げられる。保護層９を形成する方法としては、例えば、スパッタリング法、イオンプレーティング法、スクリーン印刷法、あるいはインクジェット印刷法が挙げられる。
【００３２】
第２遮光層１０は、入力装置Ｘ１が表示装置Ｙ１に組み込まれた場合に、バックライト
３００から入力装置Ｘ１に入射する光を遮光する役割を有する。第２遮光層１０は、非入力領域Ｅ２に対応する保護層９上に枠状に設けられている。第２遮光層１０の構成材料および形成方法としては、第１遮光層６と同様のものが挙げられる。なお、第２遮光層１０は、第１遮光層６と同様の色相を有することが好ましい。
【００３３】
第２遮光層１０の一部１０ａは、第１遮光層６よりも基体２の端面２Ｃ側に位置している。第２遮光層１０の残部１０ｂは、第１遮光層６上に位置している。また、第１遮光層６は、平面視して第２遮光層１０の残部１０ｂと重なっており、当該重なっている部位を重畳部６ａと称する。入力装置Ｘ１では、平面視して第１遮光層６の全部が第２遮光層１０の残部１０ｂと重なっているため、重畳部６ａは第１遮光層６の全部を指すが、これに限らない。第２遮光層１０の残部１０ｂは、第１遮光層６の一部分と重なっており、当該一部分を重畳部６ａと称してもよい。
【００３４】
ここで、重畳部６ａには、複数の開口部１１が設けられている。このため、入力装置Ｘ１では、視認性が低下してしまう可能性を低減することができる。
【００３５】
具体的には、第１遮光層は、上述したように、基体の端面を加工する目的で基体の端面から所定距離以上離れて設けられている。そのため、入力装置が表示装置に組み込まれた場合に、バックライトから入力装置に入射した光が、第１遮光層と基体の端面との間の領域から漏れてしまう可能性があった。第１遮光層と基体の端面との間の領域から光が漏れてしまう可能性を低減するためには、当該領域に第２遮光層を設ける必要があった。しかしながら、第１遮光層と第２遮光層とは、それぞれ個別の工程で基体上に設けられるため、厚みあるいは材料の成分比が異なることになる。そのため、第１遮光層の色味と第２遮光層の色味とが異なることになり、平面視した場合に、第１遮光層から第２遮光層へ変化する部分、および、第２遮光層から第１遮光層へ変化する部分において、色味が大きく変化してしまう可能性があった。
【００３６】
そこで、本実施形態に係る入力装置Ｘ１では、第２遮光層１０の残部１０ｂは、第１遮光層６上に位置する。また、重畳部６ａには、複数の開口部１１が設けられている。このため、平面視して第１遮光層６および第２遮光層１０が位置する領域内において、色味が大きく変化してしまう可能性を低減することができる。このため、入力装置Ｘ１では、視認性が低下してしまう可能性を低減することができる。また、視認性が低下してしまう可能性を低減することができるので、入力装置Ｘ１の意匠性が向上する。
【００３７】
なお、入力装置Ｘ１では、複数の開口部１１は、第１開口部１１ａ、および第１開口部１１ａよりも基体２の端面２Ｃ側に位置する第２開口部１１ｂを含んでいる。第２開口部１１ｂは、第１開口部１１ａの平面視における開口面積よりも大きい開口面積を有する。このため、平面視して、重畳部６ａが位置する領域において、色味を段階的に変化させることができる。そのため、入力装置Ｘ１では、視認性が低下してしまう可能性をより低減することができる。なお、入力装置Ｘ１では、複数の開口部１１は平面視して楕円形状を有しているが、これに限らず、円形状あるいは多角形状であってもよい。
【００３８】
また、入力装置Ｘ１では、第２遮光層１０の残部１０ｂは、複数の開口部１１に入り込んでいる。このため、アンカー効果によって、第２遮光層１０の残部１０ｂに剥がれが生じる可能性を低減することができる。なお、本実施形態において「第２遮光層１０の残部１０ｂは、複数の開口部１１に入り込んでいる」とは、第２遮光層１０が、少なくとも開口部１１が位置する領域に存在していればよく、重畳部６ａと第２遮光層１０の残部１０ｂとは接していなくともよい。入力装置Ｘ１では、第２遮光層１０の残部１０ｂは、開口部１１が位置する領域において、保護層９に接している。
【００３９】
また、入力装置Ｘ１では、重畳部６ａ上に検出用配線８が位置している。具体的には、検出用配線８は、被覆層７上に設けられており、平面視して、重畳部６ａおよび第２遮光層１０の残部１０ｂと重なっている。このため、入力装置Ｘ１が表示装置Ｙ１に組み込まれた際に、バックライト３００から入力装置Ｘ１に対して入射した光の光量が相対的に大きい場合であっても、検出用配線８が使用者に視認されてしまう可能性を低減することができる。
【００４０】
また、入力装置Ｘ１では、検出用配線８は、保護層９に被覆されており、保護層９上に第２遮光層１０の残部１０ｂが位置している。このため、検出用配線８と第２遮光層１０の残部１０ｂとが接することによって、検出用配線８が腐食してしまう可能性を低減することができる。
【００４１】
なお、第２遮光層１０は、導電性を有することが好ましい。第２遮光層１０が導電性を有すると、入力装置Ｘ１が表示装置Ｙ１に組み込まれた場合に、入力装置Ｘ１の周囲に位置する電子部材から発生したノイズを遮蔽することができる。このため、当該ノイズが、第１検出電極パターン３、第２検出電極パターン４、あるいは検出用配線８に混入してしまう可能性を低減することができる。
【００４２】
保護シート１２は、使用者の指Ｆ１の接触によって基体２の第１主面２Ａを傷付けないように保護する役割を有する。保護シート１２は、図示しない粘着材を介して、入力領域Ｅ１および非入力領域Ｅ２に対応する基体２の第１主面２Ａの全面に亘って設けられている。なお、保護シート１２は、入力領域Ｅ１に対応する基体２の第１主面２Ａ上にのみ設けられていてもよい。保護シート１２の構成材料としては、例えば、ガラスあるいはプラスチックが挙げられる。
【００４３】
次に、入力装置Ｘ１の検出原理について説明する。
【００４４】
図示しない位置検出ドライバは、図示しないフレキシブル基板を介して、外部導通領域Ｇ１に位置する検出用配線８の他端に電気的に接続されている。位置検出ドライバは、例えば、フレキシブル基板上、あるいは表示装置Ｙ１の回路基板４００上に設けられている。また、位置検出ドライバは、電源装置を備えている。電源装置は、検出用配線８を介して、第１検出電極パターン３および第２検出電極パターン４に電圧を供給している。ここで、入力領域Ｅ１に対応する基体２の第１主面２Ａに、保護シート１２を介して導電体である指Ｆ１が近接、接触、または押圧すると、指Ｆ１と第１検出電極パターン３および第２検出電極パターン４との間において静電容量が発生する。位置検出ドライバは、第１検出電極パターン３および第２検出電極パターン４において発生する静電容量を常に検出しており、所定値以上の静電容量を検出した第１検出電極パターン３および第２検出電極パターン４の組合せによって、使用者が入力操作を行った入力位置を検出する。このようにして、入力装置Ｘ１は、入力位置を検出することができる。
【００４５】
以上のように、入力装置Ｘ１では、視認性が低下してしまう可能性を低減することができる。
【００４６】
次に、入力装置Ｘ１を備えた表示装置Ｙ１について、図６を参照しながら説明する。ここで、図６は、表示装置Ｙ１の概略構成を示す断面図である。
【００４７】
図６に示すように、本実施形態に係る表示装置Ｙ１は、入力装置Ｘ１、第１筐体１００、表示パネル２００、バックライト３００、および回路基板４００を備えている。
【００４８】
入力装置Ｘ１は、第１筐体１００に収容されている。第１筐体１００の構成材料として
は、例えば、ポリカーボネート等の樹脂、あるいは、ステンレス、アルミニウム等の金属が挙げられる。また、入力装置Ｘ１は、第１筐体１００の支持部１０１上に設けられている。
【００４９】
表示パネル２００は、画像あるいは動画を表示する役割を有する。表示パネル２００は入力装置Ｘ１に対向して配置され、第１筐体１００に収容されている。なお、入力装置Ｘ１および表示パネル２００は、所定の間隔をあけて配置されているが、これに限らず、入力装置Ｘ１が固定部材を介して表示パネル２００上に設けられていてもよい。固定部材としては、例えば、両面テープ、熱硬化性樹脂、紫外線硬化性樹脂、あるいはねじ等の止め具が挙げられる。なお、本実施形態に係る表示パネル２００は、液晶構造体を用いた液晶パネルであるが、これに限らず、プラズマディスプレイ、有機ＥＬディスプレイ、ＦＥＤ（Field Emission Display）、ＳＥＤ（Surface-conduction Electron-emitter Display
）、あるいは電子ペーパであってもよい。
【００５０】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプあるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００はなくともよい。
【００５１】
回路基板４００は、表示パネル２００およびバックライト３００を制御する制御回路、抵抗器、あるいはコンデンサ等の電子部品を支持する役割を有する。回路基板４００は、バックライト３００の後方に配置されている。回路基板４００上に位置する制御回路は、図示しないフレキシブル基板によって、表示パネル２００およびバックライト３００と電気的に接続されている。
【００５２】
このように、表示装置Ｙ１は、表示パネル２００を、入力装置Ｘ１を介して透視しながら、入力装置Ｘ１の入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５３】
以上のように、表示装置Ｙ１では、入力装置Ｘ１を備えているため、視認性が低下してしまう可能性を低減することができる。
【００５４】
次に、表示装置Ｙ１を備えた携帯端末Ｚ１について、図７を参照しながら説明する。
【００５５】
図７に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００５６】
携帯端末Ｚ１は、表示装置Ｙ１、音声入力部５０１、音声出力部５０２、キー入力部５０３、および第２筐体５０４を備えている。
【００５７】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。なお、第２筐体５０４はなくともよく、表示装置Ｙ１の第１筐体１００に音声入力部５０１、音声出力部５０２、およびキー入力部５０３が収容されていてもよい。第２筐体５０４の構成材料としては、第１筐体１００と同様のものが挙げられる。
【００５８】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００５９】
以上のように、携帯端末Ｚ１は、表示装置Ｙ１を備えているため、視認性が低下してしまう可能性を低減することができる。
【００６０】
ここで、表示装置Ｙ１は、上記の携帯端末Ｚ１の代わりに、電子手帳、パーソナルコンピュータ、複写機、ゲーム用の端末装置、テレビ、デジタルカメラ、あるいは産業用途で使用されるプログラマブル表示器等の様々な電子機器に備えられていてもよい。
【００６１】
なお、上述した実施形態は、本発明の実施形態の一具体例を示したものであり、種々の変形が可能である。以下、いくつかの主な変形例を示す。
【００６２】
［変形例１］
図８は、変形例１に係る入力装置Ｘ２の概略構成を示す平面図である。図９は、図８中に示したＩＶ−ＩＶ線断面図である。なお、図８および図９において、図２および図５と同様の機能を有する構成については、同じ参照符号を付記し、その詳細な説明は省略する。また、図８では、説明の便宜上、第１遮光層６、第２遮光層１０、および第１遮光層６に設けられた開口部２１のみ図示する。
【００６３】
図８および図９に示すように、入力装置Ｘ２では、入力装置Ｘ１が備える重畳部６ａ上に設けられた複数の開口部１１の代わりに、複数の開口部２１が設けられている。複数の開口部２１は、重畳部６ａに設けられている。ここで、開口部２１は、基体２の第２主面２Ｂ側に位置する開口部２１の開口径Ｒ１は、第２遮光層１０の残部１０ｂ側に位置する開口部２１の開口径Ｒ２よりも大きい。具体的には、開口部２１は、断面視してテーパ形状をなしている。また、第２遮光層１０の残部１０ｂは、開口部２１に入り込んでいる。このため、入力装置Ｘ２では、第２遮光層１０の残部１０ｂが剥がれてしまう可能性をより低減することができる。
【００６４】
なお、変形例１における「開口径Ｒ１」とは、基体２の第１主面２Ａ側から平面視した場合における開口部２１の最大幅を指す。また、変形例１における「開口径Ｒ２」とは、基体２の第２主面２Ｂ側から平面視した場合における開口部２１の最大幅を指す。
【００６５】
［変形例２］
図１０は、変形例２に係る入力装置Ｘ３の概略構成を示す平面図である。図１１は、図１０中に示したＶ−Ｖ線断面図である。なお、図１０および図１１において、図２および図５と同様の機能を有する構成については、同じ参照符号を付記し、その詳細な説明は省
略する。また、図１０では、第１遮光層３１、第２遮光層１０、および第１遮光層３１に設けられた開口部１１のみ図示する。
【００６６】
図１０および図１１に示すように、入力装置Ｘ３では、入力装置Ｘ１が備える第１遮光層６の代わりに、第１遮光層３１を備えている。第１遮光層３１は、非入力領域Ｅ２に対応する基体２の第２主面２Ｂ上に設けられている。第１遮光層３１のうち、平面視して第２遮光層１０の残部１０ｂと重なる部位を重畳部３１ａと称する。重畳部３１ａは、基体２の端面２Ｃ側に位置する端部３１ａＡを有している。ここで、端部３１ａＡは、基体２の端面２Ｃに近づくにつれて厚みが小さくなっている。このため、入力装置Ｘ３では、平面視して、第２遮光層１０の一部１０ａが位置する領域と、第２遮光層１０の残部１０ｂが位置する領域との境界において、色味が大きく変化してしまう可能性を低減することができる。そのため、視認性が低下してしまう可能性をより低減することができる。
【００６７】
［変形例３］
図１２は、変形例３に係る入力装置Ｘ４の概略構成を示す平面図である。図１３は、図１２中に示したＶＩ−ＶＩ線断面図である。なお、図１２および図１３において、図２および図５と同様の機能を有する構成については、同じ参照符号を付記し、その詳細な説明は省略する。また、図１２では、第１遮光層４１、第２遮光層１０、および第１遮光層４１に設けられた開口部４２のみ図示する。
【００６８】
図１２および図１３に示すように、入力装置Ｘ４では、入力装置Ｘ１が備える第１遮光層６の代わりに、第１遮光層４１を備えている。また、入力装置Ｘ１が備える重畳部６ａに設けられた複数の開口部１１の代わりに、重畳部４１ａに複数の開口部４２が設けられている。
【００６９】
第１遮光層４１は、非入力領域Ｅ２に対応する基体２の第２主面２Ｂ上に設けられている。第１遮光層４１のうち、平面視して第２遮光層１０の残部１０ｂと重なる部位を重畳部４１ａと称する。重畳部４１ａは、第１部位４１ａＡ、および第１部位４１ａＡよりも基体２の端面２Ｃ側に設けられた第２部位４１ａＢを有する。また、複数の開口部４２は、重畳部６ａに設けられている。ここで、第２部位４１ａＢに設けられた複数の開口部４２の平面視における総開口面積は、第１部位４１ａＡに設けられた複数の開口部４２の平面視における総開口面積よりも大きい。具体的には、複数の開口部４２は、基体２の端面２Ｃに近づくにつれて、配置密度が大きくなっている、このため、入力装置Ｘ４では、平面視して、第１部位４１ａＡおよび第２部位４１ａＢが位置する領域において、色味を段階的に変化させることができる。そのため、視認性が低下する可能性をより低減することができる。
【００７０】
なお、変形例３における「第１部位４１ａＡ」とは、図１２に示すように、平面視して入力領域Ｅ１に近い側に位置する開口部４２の外縁を結んだ１点鎖線と、第１遮光層４１の外縁と１点鎖線との中心線である２点鎖線と、の間の部位を指す。また、変形例３における「第２部位４１ａＢ」とは、平面視して当該２点鎖線よりも基体２の端面２Ｃ側に位置する部位を指す。
【００７１】
［変形例４］
図１４は、変形例１に係る入力装置Ｘ５の概略構成を示す平面図である。図１５は、図１４中に示したＶＩＩ−ＶＩＩ線断面図である。なお、図１４および図１５において、図２および図５と同様の機能を有する構成については、同じ参照符号を付記し、その詳細な説明は省略する。また、図１４では、第１遮光層５１、第２遮光層１０、および第１遮光層５１に設けられた開口部５２のみ図示する。
【００７２】
図１２および図１３に示すように、入力装置Ｘ５では、入力装置Ｘ１が備える第１遮光層６の代わりに、第１遮光層５１を備えている。また、入力装置Ｘ１が備える重畳部６ａに設けられた複数の開口部１１の代わりに、重畳部５１ａに複数の開口部５２が設けられている。
【００７３】
第１遮光層５１は、非入力領域Ｅ２に対応する基体２の第２主面２Ｂ上に設けられている。第１遮光層５１のうち、平面視して第２遮光層１０の残部１０ｂと重なる部位を重畳部５１ａと称する。複数の開口部５２は、重畳部５１ａに設けられている。複数の開口部５２は、平面視して入力領域Ｅ１を取り囲んでいる。ここで、複数の開口部５２は、第１開口部５２ａ、および第１開口部５２ａよりも基体２の端面２Ｃ側に位置する第２開口部５２ｂを含んでいる。このため、入力装置Ｘ５では、平面視して重畳部５１ａが位置する領域において、色味を段階的に変化させることができる。そのため、視認性が低下してしまう可能性を低減することができる。
【００７４】
［変形例５］
なお、本発明は、上記の実施形態、および変形例１〜４に限定されるものではなく、入力装置Ｘ１〜Ｘ５は、適宜組み合わせてもよい。また、本実施形態では、入力装置Ｘ１を備えた表示装置Ｙ１について説明したが、これに限らず、入力装置Ｘ１に代えて、入力装置Ｘ２〜Ｘ５のいずれかを採用してもよい。また、本実施形態では、入力装置Ｘ１を備えた携帯端末Ｚ１について説明したが、これに限らず、入力装置Ｘ１に代えて、入力装置Ｘ２〜Ｘ５のいずれかを採用してもよい。
【００７５】
［変形例６］
また、上記の実施形態、および変形例１〜４では、本発明の遮光装置を入力装置に適用した例について説明したが、これに限らない。本発明の遮光装置は、例えば、表示領域および表示領域の外側に位置する非表示領域を有する表示パネルにも適用することができる。この場合、第１遮光層および第２遮光層は、非表示領域に対応する表示パネルに配置される。
【符号の説明】
【００７６】
Ｘ１〜Ｘ５  入力装置
Ｙ１  表示装置
Ｚ１  携帯端末（電子機器）
２  基体
２Ｂ  第２主面（基体の主面）
２Ｃ  基体の端面
３ａ  第１検出電極３ａ
６，３１，４１，５１  第１遮光層
６ａ，３１ａ，４１ａ，５１ａ  重畳部
８  検出用配線
９  保護層
１０  第２遮光層
１０ａ  第２遮光層の一部
１０ｂ  第２遮光層の残部
１１，２１，４２，５２  開口部
１１ａ，２１ａ，５２ａ  第１開口部
１１ｂ，２１ｂ，５２ｂ  第２開口部
３１ａＡ  端部
４１ａＡ  第１部位
４１ａＢ  第２部位
１００  第１筐体（筐体）
３００  表示パネル
【図１】
2014021768.tif 000003
【図２】
2014021768.tif 000004
【図３】
2014021768.tif 000005
【図４】
2014021768.tif 000006
【図５】
2014021768.tif 000007
【図６】
2014021768.tif 000008
【図７】
2014021768.tif 000009
【図８】
2014021768.tif 000010
【図９】
2014021768.tif 000011
【図１０】
2014021768.tif 000012
【図１１】
2014021768.tif 000013
【図１２】
2014021768.tif 000014
【図１３】
2014021768.tif 000015
【図１４】
2014021768.tif 000016
【図１５】
2014021768.tif 000017